(57)【要約】【課題】通信網のトポロジが変更された場合に、オペレータが複雑な操作を行うことなく、データベースを更新すること。【解決手段】監視装置（２０）は、通信網を構成するリンク及び通信網上に設定する回線サービスの経路が登録されるデータベース（２００）を記憶する記憶部（２０２）と、将来的に運用する予定のリンク及び回線サービスの経路を事前に受け付けると共に、データベース（２００）の更新指示を受け付ける入力部（２０４）と、データベース（２００）の更新指示を受け付けると、将来的に運用する予定のリンク及び回線サービスの経路に基づいて、データベース（２００）に登録されたリンク及び回線サービスの経路を更新する制御部（２０１）と、を備える。【選択図】図４
2019029920.tif 000002
【特許請求の範囲】
【請求項１】
通信網を監視する監視装置であって、
前記通信網を構成するリンク及び前記通信網上に設定する回線サービスの経路が登録されるデータベースを記憶する記憶部と、
将来的に運用する予定のリンク及び回線サービスの経路を事前に受け付けると共に、前記データベースの更新指示を受け付ける入力部と、
前記データベースの更新指示を受け付けると、将来的に運用する予定のリンク及び回線サービスの経路に基づいて、前記データベースに登録されたリンク及び回線サービスの経路を更新する制御部と、を備える監視装置。
【請求項２】
前記制御部は、
現在運用しているリンク及び回線サービスの経路を運用リンク及び運用経路として前記データベースに登録し、
将来的に運用する予定のリンク及び回線サービスの経路を受け付けると、該リンク及び回線サービスの経路を計画リンク及び計画経路として前記データベースに登録し、
前記データベースの更新指示を受け付けると、前記データベースに登録された前記運用リンク、前記運用経路、前記計画リンク、及び前記計画経路を更新する、請求項１に記載の監視装置。
【請求項３】
前記計画リンクは、前記運用リンクとポートを共有することが可能である、請求項２に記載の監視装置。
【請求項４】
前記制御部は、
前記データベースの更新指示において、前記計画リンクが指定された場合、
前記指定された計画リンクとポートを共有する運用リンクを特定し、
前記データベース上で、前記特定された運用リンクを使用する回線サービスの運用経路を削除すると共に、該回線サービスの計画経路を運用経路に変更し、
前記データベース上で、前記指定された計画リンクを運用リンクに変更し、
前記データベース上で、前記特定された運用リンクを削除する、請求項２又は３に記載の監視装置。
【請求項５】
前記制御部は、
前記データベースの更新指示において、前記通信網の実際のトポロジと前記データベースとの同期を取ることが指示された場合、
前記データベースに登録された運用リンクのうち実際のトポロジと差分のある運用リンクを特定し、
前記データベース上で、前記特定された運用リンクを使用する回線サービスの運用経路を削除すると共に、該回線サービスの計画経路を運用経路に変更し、
前記データベース上で、前記特定された運用リンクとポートを共有し、かつ、実際のトポロジと一致する計画リンクを運用リンクに変更し、
前記データベース上で、前記特定された運用リンクを削除する、請求項２又は３に記載の監視装置。
【請求項６】
通信網を構成する複数の通信装置と、
前記通信網を監視する監視装置と、を備え、
前記監視装置は、
前記通信網を構成するリンク及び前記通信網上に設定する回線サービスの経路が登録されるデータベースを記憶する記憶部と、
将来的に運用する予定のリンク及び回線サービスの経路を事前に受け付けると共に、前記データベースの更新指示を受け付ける入力部と、
前記データベースの更新指示を受け付けると、将来的に運用する予定のリンク及び回線サービスの経路に基づいて、前記データベースに登録されたリンク及び回線サービスの経路を更新する制御部と、を備える通信システム。
【請求項７】
前記制御部は、
現在運用しているリンク及び回線サービスの経路を運用リンク及び運用経路として前記データベースに登録し、
将来的に運用する予定のリンク及び回線サービスの経路を受け付けると、該リンク及び回線サービスの経路を計画リンク及び計画経路として前記データベースに登録し、
前記データベースの更新指示を受け付けると、前記データベースに登録された前記運用リンク、前記運用経路、前記計画リンク、及び前記計画経路を更新する、請求項６に記載の通信システム。
【請求項８】
前記計画リンクは、前記運用リンクとポートを共有することが可能である、請求項７に記載の通信システム。
【請求項９】
前記制御部は、
前記データベースの更新指示において、前記計画リンクが指定された場合、
前記指定された計画リンクとポートを共有する運用リンクを特定し、
前記データベース上で、前記特定された運用リンクを使用する回線サービスの運用経路を削除すると共に、該回線サービスの計画経路を運用経路に変更し、
前記データベース上で、前記指定された計画リンクを運用リンクに変更し、
前記データベース上で、前記特定された運用リンクを削除する、請求項７又は８に記載の通信システム。
【請求項１０】
前記制御部は、
前記データベースの更新指示において、前記通信網の実際のトポロジと前記データベースとの同期を取ることが指示された場合、
前記データベースに登録された運用リンクのうち実際のトポロジと差分のある運用リンクを特定し、
前記データベース上で、前記特定された運用リンクを使用する回線サービスの運用経路を削除すると共に、該回線サービスの計画経路を運用経路に変更し、
前記データベース上で、前記特定された運用リンクとポートを共有し、かつ、実際のトポロジと一致する計画リンクを運用リンクに変更し、
前記データベース上で、前記特定された運用リンクを削除する、請求項７又は８に記載の通信システム。
【請求項１１】
通信網を監視する監視装置の制御方法であって、
前記通信網を構成するリンク及び前記通信網上に設定する回線サービスの経路が登録されるデータベースを記憶し、
将来的に運用する予定のリンク及び回線サービスの経路を事前に受け付け、
前記データベースの更新指示を受け付けると、将来的に運用する予定のリンク及び回線サービスの経路に基づいて、前記データベースに登録されたリンク及び回線サービスの経路を更新する、制御方法。
【請求項１２】
通信網を構成する複数の通信装置と、前記通信網を監視する監視装置と、を備える通信システムの制御方法であって、
前記監視装置が、前記通信網を構成するリンク及び前記通信網上に設定する回線サービスの経路が登録されるデータベースを記憶し、
前記監視装置が、将来的に運用する予定のリンク及び回線サービスの経路を事前に受け付け、
前記監視装置が、前記データベースの更新指示を受け付けると、将来的に運用する予定のリンク及び回線サービスの経路に基づいて、前記データベースに登録されたリンク及び回線サービスの経路を更新する、制御方法。
【発明の詳細な説明】
【技術分野】
【０００１】
本発明は、監視装置、通信システム、及び制御方法に関する。
【背景技術】
【０００２】
複数の通信装置（例えば、Ｌ２（Layer 2）スイッチ）から構成される通信網（例えば、アクセス網）を使用して、回線サービス（例えば、ＶＬＡＮ（Virtual Local Area Network）サービス）を提供する通信システムが知られている。このような通信システムは、例えば、特許文献１，２に開示されている。
【先行技術文献】
【特許文献】
【０００３】
【特許文献１】特開２００４−２６０６７１号公報
【特許文献２】特開２０００−１０６５６０号公報
【発明の概要】
【発明が解決しようとする課題】
【０００４】
ところで、上述の通信システムでは、通信装置の増設や撤去が行われ、それに伴って通信網のトポロジが変更されることが頻繁にある。なお、本明細書では、トポロジの変更とは、通信装置間を接続するリンクの繋ぎ替えが発生することを意味するものとする。また、通信網のトポロジが変更されると、通信網上に設定されている回線サービスの経路を変更する必要が生じる。
【０００５】
また、上述の通信システムには、通信網の監視及び設定を行う監視装置が設けられている。監視装置は、通信網を構成する通信装置を示す装置情報と、通信装置間を接続するリンクを示すリンク情報と、通信網上に設定する回線サービスの経路を示す回線サービス経路情報と、をデータベース上で管理することが一般的である。
【０００６】
そのため、監視装置は、通信網のトポロジが変更された場合には、データベースのリンク情報及び回線サービス経路情報を更新することになる。
【０００７】
特許文献１に記載の技術は、ネットワークのトポロジ（リンク）及びリソースに基づいて、ネットワークの経路情報を求める。そのため、特許文献１に記載の技術は、ネットワークのトポロジの変更に伴い、データベースを更新する場合、まず、リンク情報を更新し、その後に、経路情報を更新するものと考えられる。
【０００８】
また、特許文献２に記載の技術は、ノードの移設等によりネットワークのトポロジが変更された場合、まず、古いコネクションの経路を介して始点ノードまで経路変更メッセージを転送し、続いて、経路変更メッセージを受信した始点ノードが新しいコネクションの経路を計算し、続いて、新しいコネクションの経路を介して終点ノードまでＳＥＴＵＰメッセージを転送し、その後、ＳＥＴＵＰメッセージを受信した終点ノードがコネクションを新たな経路に切り替える。そのため、特許文献２に記載の技術も、ネットワークのトポロジの変更に伴い、データベースを更新する場合、まず、リンク情報を更新し、その後に、経路情報を更新するものと考えられる。
【０００９】
このように、特許文献１，２に記載の技術はいずれも、通信網のトポロジが変更された場合、データベース上では、まず、リンク情報を更新し、その後に、経路情報を更新するものと考えられる。
【００１０】
しかし、通信網のトポロジが変更された場合に、新しいトポロジが、古いトポロジで使用していた通信装置のポートを流用するケースがある。
【００１１】
例えば、図１に示されるケースでは、通信装置８０Ｂ，８０Ｅの間のリンクに割入れるように、通信装置８０Ｆを増設している。このケースでは、通信装置８０Ｂ，８０Ｅの間のリンクで使用していた通信装置８０Ｂ，８０Ｅのポートを流用して、通信装置８０Ｂ，８０Ｆの間及び通信装置８０Ｅ，８０Ｆの間を新たなリンクで接続している。
【００１２】
また、図２に示されるケースでは、通信装置８０Ｃ，８０Ｅとリンクでそれぞれ接続されていた通信装置８０Ｄを撤去している。このケースでは、通信装置８０Ｃ，８０Ｄの間及び通信装置８０Ｄ，８０Ｅの間のリンクで使用していた通信装置８０Ｃ，８０Ｅのポートを流用して、通信装置８０Ｃ，８０Ｅの間を新たなリンクで接続している。
【００１３】
このようなケースにおいて、回線サービス経路情報に回線サービスの経路が設定された状態で、最初にリンク情報の更新を行うと、データベース上の回線サービス経路情報とリンク情報との間で矛盾が生じてしまう可能性がある。
【００１４】
上述の矛盾を回避するために、例えば、回線サービス経路情報上で、古いトポロジを使用する回線サービスの経路を削除した後、リンク情報を更新し、回線サービス経路情報上で、新しいトポロジを使用する回線サービスの経路を再設定する、という方法を採ることが考えられる。
【００１５】
しかし、上述の方法は、回線サービス経路情報上での経路の削除と再設定を繰り返すと共に、リンク情報上でのリンクの削除と登録を繰り返す操作が必要になるため、オペレータの操作が複雑になるという問題がある。
【００１６】
本発明は、上述の課題を解決し、通信網のトポロジが変更された場合に、オペレータが複雑な操作を行うことなく、データベースを更新することができる技術を提供することを目的とする。
【課題を解決するための手段】
【００１７】
一態様において、監視装置は、
通信網を監視する監視装置であって、
前記通信網を構成するリンク及び前記通信網上に設定する回線サービスの経路が登録されるデータベースを記憶する記憶部と、
将来的に運用する予定のリンク及び回線サービスの経路を事前に受け付けると共に、前記データベースの更新指示を受け付ける入力部と、
前記データベースの更新指示を受け付けると、将来的に運用する予定のリンク及び回線サービスの経路に基づいて、前記データベースに登録されたリンク及び回線サービスの経路を更新する制御部と、を備える。
【００１８】
一態様において、通信システムは、
通信網を構成する複数の通信装置と、
前記通信網を監視する監視装置と、を備え、
前記監視装置は、
前記通信網を構成するリンク及び前記通信網上に設定する回線サービスの経路が登録されるデータベースを記憶する記憶部と、
将来的に運用する予定のリンク及び回線サービスの経路を事前に受け付けると共に、前記データベースの更新指示を受け付ける入力部と、
前記データベースの更新指示を受け付けると、将来的に運用する予定のリンク及び回線サービスの経路に基づいて、前記データベースに登録されたリンク及び回線サービスの経路を更新する制御部と、を備える。
【００１９】
一態様において、監視装置の制御方法は、
通信網を監視する監視装置の制御方法であって、
前記通信網を構成するリンク及び前記通信網上に設定する回線サービスの経路が登録されるデータベースを記憶し、
将来的に運用する予定のリンク及び回線サービスの経路を事前に受け付け、
前記データベースの更新指示を受け付けると、将来的に運用する予定のリンク及び回線サービスの経路に基づいて、前記データベースに登録されたリンク及び回線サービスの経路を更新する。
【００２０】
一態様において、通信システムの制御方法は、
通信網を構成する複数の通信装置と、前記通信網を監視する監視装置と、を備える通信システムの制御方法であって、
前記監視装置が、前記通信網を構成するリンク及び前記通信網上に設定する回線サービスの経路が登録されるデータベースを記憶し、
前記監視装置が、将来的に運用する予定のリンク及び回線サービスの経路を事前に受け付け、
前記監視装置が、前記データベースの更新指示を受け付けると、将来的に運用する予定のリンク及び回線サービスの経路に基づいて、前記データベースに登録されたリンク及び回線サービスの経路を更新する。
【発明の効果】
【００２１】
上述の態様によれば、通信網のトポロジが変更された場合に、オペレータが複雑な操作を行うことなく、データベースを更新することができるという効果が得られる。
【図面の簡単な説明】
【００２２】
【図１】通信装置を増設する例を示す図である。
【図２】通信装置を撤去する例を示す図である。
【図３】実施の形態に係る通信システムの構成例を示す図である。
【図４】実施の形態に係る監視装置の構成例を示すブロック図である。
【図５】実施の形態に係る通信装置の構成例を示すブロック図である。
【図６】関連技術に係る監視装置における通信装置の増設時の動作例を説明する図である。
【図７】実施の形態に係る監視装置における通信装置の増設時の動作例を説明する図である。
【図８】関連技術に係る監視装置における通信装置の撤去時の動作例を説明する図である。
【図９】実施の形態に係る監視装置における通信装置の撤去時の動作例を説明する図である。
【図１０Ａ】関連技術に係る監視装置における通信装置の移設時の動作例を説明する図である。
【図１０Ｂ】関連技術に係る監視装置における通信装置の移設時の動作例を説明する図である。
【図１０Ｃ】関連技術に係る監視装置における通信装置の移設時の動作例を説明する図である。
【図１１Ａ】実施の形態に係る監視装置における通信装置の移設時の動作例を説明する図である。
【図１１Ｂ】実施の形態に係る監視装置における通信装置の移設時の動作例を説明する図である。
【発明を実施するための形態】
【００２３】
以下、図面を参照して本発明の実施の形態について説明する。
＜本実施の形態の構成＞
＜通信システム１の構成＞
まず、図３を参照して、本実施の形態に係る通信システム１の構成について説明する。
図３に示されるように、本実施の形態に係る通信システム１は、通信網を構成する複数の通信装置１０Ａ〜１０Ｅ（以下、通信装置１０Ａ〜１０Ｅを区別しない場合は、通信装置１０と称す）と、通信網の監視及び設定を行う監視装置２０と、を備えており、通信網を使用して、回線サービスを提供する。通信装置１０は、例えば、Ｌ２スイッチであり、通信網は、例えば、アクセス網であり、回線サービスは、例えば、ＶＬＡＮサービスである。ただし、通信装置１０、通信網、回線サービスは、上述の例に限定されない。
【００２４】
なお、図３では、図面の簡素化のため、複数の通信装置１０と監視装置２０とを接続していないが、複数の通信装置１０と監視装置２０とは、有線ネットワークまたは無線ネットワークを介して互いに通信可能である。また、図３では、５台の通信装置１０を設けているが、通信装置１０の数は、５台には限定されず、複数であれば良い。
【００２５】
＜監視装置２０の構成＞
続いて、図４を参照して、本実施の形態に係る監視装置２０の構成について説明する。
図４に示されるように、本実施の形態に係る監視装置２０は、制御部２０１、記憶部２０２、通信部２０３、及び入力部２０４等を備えている。
【００２６】
制御部２０１は、例えば、ＣＰＵ（Central Processing Unit）やＧＰＵ（Graphics Processing Unit）などのプロセッサによって実現される。記憶部２０２は、例えば、ＲＡＭ（Random Access Memory）、ＲＯＭ（Read Only Memory）などのメモリや、ＨＤＤ（Hard Disk Drive）などによって実現される。
【００２７】
記憶部２０２は、制御部２０１によって実行される命令群を含むプログラムや、データベース（ＤＢ：Database）２００等を記憶している。制御部２０１は、記憶部２０２に記憶されたプログラムを読み出し、実行することによって、監視装置２０の機能を実現する。
【００２８】
また、上述のプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２９】
入力部２０４は、オペレータの操作入力を受け付けるものであり、例えば、キーボード、マウス、及びタッチセンサなどによって実現される。
【００３０】
通信部２０３は、外部の装置との間でデータを送受信するものであり、トランシーバ回路などによって実現される。例えば、通信部２０３は、有線ネットワークまたは無線ネットワークを介して通信装置１０と通信する。
【００３１】
なお、監視装置２０は、制御部２０１により処理された描画データに対応する画面を表示する表示部（不図示）を備えても良い。また、表示部を備える場合、表示部及び入力部２０４は一体化され、タッチパネルとして実現されていても良い。
【００３２】
＜通信装置１０の構成＞
続いて、図５を参照して、本実施の形態に係る通信装置１０の構成について説明する。なお、図５は、通信装置１０の構成要素のうち制御に関連する構成要素のみを示している。通信装置１０は、図５に示される構成要素以外にも、通信網を構成する物理的なポート等の他の構成要素も備えているが、これら他の構成要素は、本発明の本質部分ではないため、図５からは省略している。
図５に示されるように、本実施の形態に係る通信装置１０は、図４に示される監視装置２０内の制御部２０１、記憶部２０２、及び通信部２０３にそれぞれ対応する、制御部１０１、記憶部１０２、及び通信部１０３等を備えている。
【００３３】
すなわち、通信装置１０は、図２に示される監視装置２０の構成要素のうち入力部２０４以外の構成要素を備えている。そのため、通信装置１０の構成の詳細な説明は省略する。なお、通信装置１０は、他の構成要素として、上述の入力部及び表示部を備えても良い。
【００３４】
以下、監視装置２０内の記憶部２０２に記憶されるデータベース２００及び通信装置１０内の記憶部１０２に記憶されるデータベース１００について説明する。ここでは、通信網を使用して提供する回線サービスが、ＶＬＡＮサービスであるものとして説明する。
【００３５】
＜監視装置２０のデータベース２００＞
続いて、本実施の形態に係る監視装置２０内の記憶部２０２に記憶されるデータベース２００について説明する。
監視装置２０のデータベース２００には、通信網を構成する通信装置１０を示す装置情報、通信装置１０間を接続するリンクを示すリンク情報、及び通信網に経路が設定される回線サービスを示す回線サービス情報が格納される。なお、回線サービス情報は、回線サービスの経路を示す回線サービス経路情報を含む。
【００３６】
本実施の形態においては、通信装置１０間を接続するリンクを、「運用リンク」と「計画リンク」とに区分して管理する。
【００３７】
運用リンクは、現在運用されているリンクを示す。運用リンクは、他の運用リンクとの間で通信装置１０の同じポートを共有することはできない。これは、あるポートは、接続されるポートが一意に決まり、複数のポートと接続することができないためである。
【００３８】
一方、計画リンクは、将来的に運用する予定のリンクを示す。リンク情報には、現在の運用リンクを繋ぎ替えることによって計画リンクに変更する予定であることを入力するため、計画リンクは運用リンクと同じポートを共有することが可能である。
【００３９】
同様に、本実施の形態においては、通信網に設定する回線サービスの経路も、「運用経路」と「計画経路」とに区分して管理する。
【００４０】
運用経路は、現在の運用で設定されている回線サービスの経路を示し、１以上の運用リンクを用いて、End to Endの経路として設定される。
【００４１】
一方、計画経路は、該当する回線サービスに対して、将来的に運用する予定の経路を示し、１以上の運用リンク、１以上の計画リンク、又は、運用リンクと計画リンクとの組み合わせを用いて、End to Endの経路として設定される。
【００４２】
そのため、本実施の形態においては、監視装置２０のデータベース２００には、例えば、以下のような装置情報、リンク情報、及び回線サービス情報が格納される。
表１は、監視装置２０のデータベース２００に格納される装置情報の具体例である。
【表１】
2019029920.tif 000003
【００４３】
表１に示されるように、監視装置２０のデータベース２００に格納される装置情報には、通信装置１０毎に、通信装置１０の装置名、通信装置１０の装置アドレス、通信装置１０が備えるポートの一覧、通信網のトポロジのイメージを表示する際の通信装置１０の表示位置を示す表示座標等の情報が含まれる。なお、通信装置１０を追加する場合は、その通信装置１０のエントリを装置情報に追加することになる。また、通信装置１０を削除する場合は、その通信装置１０のエントリを装置情報から削除することになる。また、通信装置１０を移設する場合は、装置情報において、その通信装置１０のエントリの表示座標を変更することになる。
【００４４】
表２は、監視装置２０のデータベース２００に格納されるリンク情報の具体例である。
【表２】
2019029920.tif 000004
【００４５】
表２に示されるように、監視装置２０のデータベース２００に格納されるリンク情報には、リンク毎に、リンクのリンク名、リンクの一端となる通信装置１０及びポート（使用ポート１）、リンクの他端となる通信装置１０及びポート（使用ポート２）、リンクの状態（運用状態又は計画状態）等の情報が含まれる。表２において、運用状態にあるリンクが運用リンク、計画状態にあるリンクが計画リンクとなる。なお、計画リンクを登録する場合は、該当するリンクのエントリを、そのリンクの状態を計画状態にした上で、リンク情報に追加することになる。また、計画リンクを運用リンクに変更する場合は、リンク情報において、該当するリンクのエントリの状態を計画状態から運用状態に変更することになる。また、運用リンクを削除する場合は、該当するリンクのエントリをリンク情報から削除することになる。
【００４６】
表３は、監視装置２０のデータベース２００に格納される回線サービス情報の具体例である。
【表３】
2019029920.tif 000005
【００４７】
表３に示されるように、監視装置２０のデータベース２００に格納される回線サービス情報には、回線サービス毎に、回線サービスのサービス名、回線サービスのＶＬＡＮ  ＩＤ、回線サービスの経路の一端となる通信装置１０及びポート（入出力ポート１）、回線サービスの経路の他端となる通信装置１０及びポート（入出力ポート２）、経路、経路の状態（運用状態又は計画状態）等の情報が含まれる。表３において、運用状態にある経路が運用経路、計画状態にある経路が計画経路となる。また、表３において、経路及び経路の状態が、回線サービス経路情報となる。なお、計画経路を登録する場合は、該当する経路のエントリを、その経路の状態を計画状態にした上で、回線サービス情報に追加することになる。また、計画経路を運用経路に変更する場合は、回線サービス情報において、該当する経路のエントリの状態を計画状態から運用状態に変更することになる。また、運用経路を削除する場合は、該当する経路のエントリを回線サービス情報から削除することになる。
【００４８】
監視装置２０は、現在運用している運用リンク及び運用経路を、データベース２００のリンク情報及び回線サービス情報（回線サービス経路情報）に登録している。また、監視装置２０は、オペレータから事前に入力部２０４にて受け付けた計画リンク及び計画経路を、データベース２００のリンク情報及び回線サービス情報（回線サービス経路情報）に登録している。
【００４９】
監視装置２０は、通信網のトポロジが変更され（リンクの繋ぎ替えが発生）、オペレータから入力部２０４にてデータベース２００の更新指示を受け付けた場合、事前に受け付けた計画リンク及び計画経路に基づいて、データベース２００を更新する。
【００５０】
具体的には、監視装置２０は、リンク情報上で、該当する運用リンク（＝元のリンク）を削除し、その運用リンクとポートを共有している計画リンク（＝新しいリンク）を運用リンクに変更する。
【００５１】
さらに、監視装置２０は、回線サービス情報（回線サービス経路情報）上で、リンク情報から削除した運用リンクを使用する回線サービスの経路（運用経路）を削除し、その回線サービスの計画経路を運用経路に変更する。
【００５２】
このように、監視装置２０は、データベース２００の更新指示を受け付けた場合、事前に受け付けた計画リンク及び計画経路に基づいて、データベース２００を更新する。具体的には、監視装置２０は、データベース２００上で、古いトポロジを使用する運用リンク及び運用経路を削除することと、新しいトポロジを使用する計画リンク及び計画経路を運用リンク及び運用経路にそれぞれ変更することと、を同時に行う。
【００５３】
そのため、オペレータは、計画リンク及び計画経路を登録する操作を繰り返し、最後に、データベース２００の更新を指示する操作をするだけで、新しいトポロジに応じたデータベース２００に更新することができる。そのため、回線サービスの経路の削除と再設定を繰り返すと共にリンクの削除と登録を繰り返す操作が必要な関連技術と比較して、オペレータの操作が簡易化されるため、オペレータの操作が複雑になることなく、データベース２００を更新することができる。
【００５４】
また、監視装置２０は、運用リンクとの間でポートの共有が可能なリンクを計画リンクとして管理することで、データベース２００上で、運用リンク及び計画リンクを共存させると共に、運用経路及び計画経路を共存させ、データベース２００の更新時に、計画経路を運用経路に変更し、回線サービスの新たな経路を設定することができる。そのため、最初に、データベース２００上で、古いトポロジを使用する回線サービスの経路の削除が必要な関連技術と比較して、回線サービスを停止する停止時間の短縮化を図ることができる。
【００５５】
なお、監視装置２０は、仮に、トポロジ変更により、新たな運用リンクと新たな運用経路との関係性に矛盾が生じる場合は、データベース２００の更新自体を許容しない。
【００５６】
＜通信装置１０のデータベース１００＞
続いて、本実施の形態に係る通信装置１０内の記憶部１０２に記憶されるデータベース１００について説明する。
通信装置１０のデータベース１００には、通信網に経路が設定される回線サービスのうち、自己の通信装置１０を経路の一部として使用する回線サービスを示す回線サービス情報が格納される。
【００５７】
表４は、通信装置１０のデータベース１００に格納される回線サービス情報の具体例である。
【表４】
2019029920.tif 000006
【００５８】
表４に示されるように、通信装置１０のデータベース１００に格納される回線サービス情報には、回線サービス毎に、回線サービスのサービス名、回線サービスのＶＬＡＮ  ＩＤ、回線サービスの経路に使用されるポート等の情報が含まれる。
【００５９】
監視装置２０は、データベース２００の回線サービス情報（回線サービス経路情報）上で回線サービスの経路を更新した場合、更新された回線サービスの経路の一部に使用されている通信装置１０に対し、回線サービス情報の更新指示を送信する。これを受けて、通信装置１０は、データベース１００の回線サービス情報（回線サービス経路情報）上で回線サービスの経路を更新する。これにより、監視装置２０と通信装置１０との間で回線サービス情報（回線サービス経路情報）の同期を取ることができる。
【００６０】
なお、表３及び表４においては、通信網を使用して提供する回線サービスがＶＬＡＮサービスであることを前提としていたため、回線サービスを識別するＩＤをＶＬＡＮ  ＩＤとしている。しかし、回線サービスを識別するＩＤは、回線サービスの種類に応じて異なるものであり、ＶＬＡＮ  ＩＤは一例である。
【００６１】
＜本実施の形態の動作＞
続いて、本実施の形態に係る監視装置２０の動作について説明する。
本実施の形態においては、オペレータにより、入力部２０４を介して、下記の一連の操作が行われる。
（ａ）通信装置の追加／削除／移設
（ｂ）計画リンクの登録
（ｃ）計画経路の登録
（ｄ）データベースの更新
【００６２】
通信装置の追加／削除／移設は、オペレータが、監視装置２０のデータベース２００上の装置情報に、新規の通信装置１０を事前に追加するか、既存の通信装置１０を事前に削除するか、又は、既存の通信装置１０を事前に移設する操作である。
この操作を入力部２０４にて受け付けると、監視装置２０は、データベース２００の装置情報に、新規の通信装置１０を追加するか、データベース２００の装置情報から、既存の通信装置１０を削除するか、又は、データベース２００の装置情報上で、既存の通信装置１０の表示座標を変更する。ただし、リンクに使用されている通信装置１０を削除する操作を受け付けた場合、その通信装置１０を削除すると、リンク情報と装置情報との関係性に矛盾が生じるため、その通信装置１０をデータベース２００の装置情報から削除することは許容しない。
【００６３】
計画リンクの登録は、オペレータが、監視装置２０のデータベース２００上のリンク情報に、新設予定のリンクを事前に登録する操作である。上述の通り、計画リンクは、運用リンクと同じポートを使用しても良い。
この操作を入力部２０４にて受け付けると、監視装置２０は、データベース２００のリンク情報に、新規の計画リンクを追加する。
【００６４】
計画経路の登録は、オペレータが、監視装置２０のデータベース２００上の回線サービス情報（回線サービス経路情報）に、トポロジ変更後の回線サービスの経路を事前に登録する操作である。
この操作を入力部２０４にて受け付けると、監視装置２０は、データベース２００の回線サービス情報（回線サービス経路情報）に、新規の計画経路を追加する。
【００６５】
データベースの更新は、オペレータが、通信網のトポロジの変更に伴い、監視装置２０のデータベース２００のリンク情報及び回線サービス情報（回線サービス経路情報）の更新を指示する操作である。この操作のときは、オペレータは、計画リンクを指定するか、又は、実際のトポロジとデータベース２００との同期を取ることを指示する。
【００６６】
この操作を入力部２０４にて受け付けると、監視装置２０は、データベース２００のリンク情報及び回線サービス情報（回線サービス経路情報）を更新する。
以下、監視装置２０によるデータベース２００の更新処理について詳細に説明する。
【００６７】
最初に、オペレータが、データベース２００の更新指示において、計画リンクを指定した場合の処理について説明する。
（１Ａ）まず、監視装置２０は、データベース２００のリンク情報を参照して、オペレータに指定された計画リンクとポートを共有する運用リンクを特定する。
【００６８】
（２Ａ）続いて、監視装置２０は、データベース２００の回線サービス情報（回線サービス経路情報）上で、上記（１Ａ）で特定した運用リンクを使用する回線サービスの運用経路を削除すると共に、その回線サービスの計画経路を運用経路に変更する。
【００６９】
（３Ａ）続いて、監視装置２０は、データベース２００のリンク情報上で、オペレータに指定された計画リンクを運用リンクに変更する。
【００７０】
（４Ａ）続いて、監視装置２０は、データベース２００のリンク情報上で、上記（１Ａ）で特定した運用リンクを削除する。
（５Ａ）その後、監視装置２０は、更新前後の回線サービスの運用経路の一部に使用されている通信装置１０に対し、回線サービス情報（回線サービス経路情報）の更新指示を送信する。
【００７１】
次に、オペレータが、データベース２００の更新指示において、実際のトポロジとデータベース２００との同期を取ることを指示した場合の処理について説明する。
（１Ｂ）まず、監視装置２０は、データベース２００のリンク情報を参照して、実際のトポロジと差分のある全ての運用リンク（トポロジ変更によって、変更が生じる全ての運用リンク）を特定する。
【００７２】
（２Ｂ）続いて、監視装置２０は、データベース２００の回線サービス情報（回線サービス経路情報）上で、上記（１Ｂ）で特定した運用リンクを使用する回線サービスの運用経路を削除すると共に、その回線サービスの計画経路を運用経路に変更する。
【００７３】
（３Ｂ）続いて、監視装置２０は、データベース２００のリンク情報上で、上記（１Ｂ）で特定した運用リンクとポートを共有する計画リンクのうち、実際のトポロジと一致する計画リンクを運用リンクに変更する。なお、この場合、データベース２００の更新を完了させる条件は、実際のトポロジと一致する計画リンクが予め登録されていることである。
【００７４】
（４Ｂ）続いて、監視装置２０は、データベース２００のリンク情報上で、上記（１Ｂ）で特定した運用リンクを削除する。
（５Ｂ）その後、監視装置２０は、更新前後の回線サービスの運用経路の一部に使用されている通信装置１０に対し、回線サービス情報（回線サービス経路情報）の更新指示を送信する。
【００７５】
なお、監視装置２０は、上述の処理が適切に完了できない場合（例えば、データベース２００の更新に伴って、運用リンクの情報と運用経路の情報との間に矛盾が生じる場合等）には、オペレータにその旨の警告をし、上述の処理をキャンセルする。例えば、上記（３Ｂ）で述べたように、実際のトポロジと一致する計画リンクが予め登録されていない場合には、上述の処理はキャンセルされることになる。
【００７６】
また、実際の通信網のトポロジ変更が完了するには、通信網の工事が必要となる。通信網の工事は、文字通り、通信網の古いトポロジを、新しいトポロジに置き換えるための工事であり、通信装置１０の移設・ケーブルの張り替え等の作業を指す。本実施の形態においては、通信網の工事は、監視装置２０によるデータベース２００の更新時に行うこととし、通信網の工事及びデータベース２００の更新を開始する際に、古いトポロジでの回線サービスの運用が停止し、通信網の工事及びデータベース２００の更新を完了すると、新しいトポロジでの回線サービスの運用が開始される。ただし、通信網の工事は、データベース２００の更新時には限定されず、データベース２００の更新処理の前後のどちらで行われても良い。
【００７７】
以下、本実施の形態に係る監視装置２０の具体的な動作について、関連技術と対比して説明する。ここでは、関連技術として、回線サービス経路情報上で、古いトポロジを使用する回線サービスの経路を削除した後、リンク情報を更新し、回線サービス経路情報上で、新しいトポロジを使用する回線サービスの経路を再設定する監視装置を例に挙げる。以下、この関連技術に係る監視装置を、便宜的に、監視装置９０と称す。また、この監視装置９０が備えるデータベースを、便宜的に、データベース９００と称す。
【００７８】
＜関連技術における通信装置１０の増設時の動作＞
まず、図６を参照して、関連技術に係る監視装置９０における通信装置１０の増設時の動作について説明する。なお、図６は、監視装置９０が備えるデータベース９００上の情報が示している通信網のトポロジの状態を図示したものであり、実際の通信網の物理的なトポロジの状態を示したものではない（以下の図８及び図１０Ａ〜図１０Ｃにおいて同じ）。
【００７９】
図６に示されるように、状態Ｓ１０１では、通信装置１０Ａ，１０Ｂ間がリンク（以下、このようなリンクをリンク１０Ａ−１０Ｂと称す）で接続され、このリンク１０Ａ−１０Ｂを使用する経路が回線サービスの経路に設定されている。この状態Ｓ１０１において、オペレータは、監視装置９０に対して、リンク１０Ａ−１０Ｂを使用する回線サービスの経路を削除する操作を行う。
【００８０】
これを受けて、監視装置９０は、データベース９００の回線サービス経路情報から、リンク１０Ａ−１０Ｂを使用する回線サービスの経路を削除する（状態Ｓ１０２）。この状態Ｓ１０２において、オペレータは、監視装置９０に対して、リンク１０Ａ−１０Ｂを削除する操作を行う。
【００８１】
これを受けて、監視装置９０は、データベース９００のリンク情報から、リンク１０Ａ−１０Ｂを削除する（状態Ｓ１０３）。この状態Ｓ１０３において、オペレータは、監視装置９０に対して、通信装置１０Ｃを追加する操作を行う。
【００８２】
これを受けて、監視装置９０は、データベース９００の装置情報に、通信装置１０Ｃを追加する（状態Ｓ１０４）。この状態Ｓ１０４において、オペレータは、監視装置９０に対して、通信装置１０Ａ，１０Ｃ間のリンク１０Ａ−１０Ｃ及び通信装置１０Ｂ，１０Ｃ間のリンク１０Ｂ−１０Ｃを追加する操作を行う。
【００８３】
これを受けて、監視装置９０は、データベース９００のリンク情報に、リンク１０Ａ−１０Ｃ及びリンク１０Ｂ−１０Ｃを追加する（状態Ｓ１０５）。この状態Ｓ１０５において、オペレータは、監視装置９０に対して、リンク１０Ａ−１０Ｃ及びリンク１０Ｂ−１０Ｃを使用する回線サービスの経路を再設定する操作を行う。
【００８４】
これを受けて、監視装置９０は、データベース９００の回線サービス経路情報に、リンク１０Ａ−１０Ｃ及びリンク１０Ｂ−１０Ｃを使用する回線サービスの経路を再設定する（状態Ｓ１０６）。
【００８５】
従って、関連技術に係る監視装置９０においては、通信装置１０Ｃの増設に起因するトポロジの変更に伴って、データベース９００を更新する場合、オペレータは、回線サービスの経路の削除と再設定をすると共にリンクの削除と登録をするという複雑な操作が必要となる。また、操作回数も、状態Ｓ１０１〜Ｓ１０５での計５回の操作が必要になる。
【００８６】
また、関連技術に係る監視装置９０においては、最初に、古いトポロジを使用する回線サービスの経路を削除する必要があるため、回線サービスの経路を再設定するまでの状態Ｓ１０１〜Ｓ１０６までの間は、回線サービスを停止する必要があり、回線サービスの停止時間が長くなる。
【００８７】
＜本実施の形態における通信装置１０の増設時の動作＞
続いて、図７を参照して、本実施の形態に係る監視装置２０における通信装置１０の増設時の動作について説明する。なお、図７は、監視装置２０が備えるデータベース２００上の情報が示している通信網のトポロジの状態を図示したものであり、実際の通信網の物理的なトポロジの状態を示したものではない（以下の図９及び図１１Ａ〜図１１Ｂにおいて同じ）。
【００８８】
図７に示されるように、状態Ｓ２０１では、通信装置１０Ａ，１０Ｂ間が運用リンク１０Ａ−１０Ｂで接続され、この運用リンク１０Ａ−１０Ｂを使用する経路が回線サービスの運用経路に設定されている。この状態Ｓ２０１において、オペレータは、監視装置２０に対して、通信装置１０Ｃを追加する操作を行う。
【００８９】
これを受けて、監視装置２０は、データベース２００の装置情報に、通信装置１０Ｃを追加する（状態Ｓ２０２）。この状態Ｓ２０２において、オペレータは、監視装置２０に対して、通信装置１０Ａ，１０Ｃ間の計画リンク１０Ａ−１０Ｃ及び通信装置１０Ｂ，１０Ｃ間の計画リンク１０Ｂ−１０Ｃを登録する操作を行う。
【００９０】
これを受けて、監視装置２０は、データベース２００のリンク情報に、計画リンク１０Ａ−１０Ｃ及び計画リンク１０Ｂ−１０Ｃを登録する（状態Ｓ２０３）。この状態Ｓ２０３において、オペレータは、監視装置２０に対して、計画リンク１０Ａ−１０Ｃ及び計画リンク１０Ｂ−１０Ｃを使用する回線サービスの計画経路を登録する操作を行う。
【００９１】
これを受けて、監視装置２０は、データベース２００の回線サービス情報（回線サービス経路情報）に、計画リンク１０Ａ−１０Ｃ及び計画リンク１０Ｂ−１０Ｃを使用する回線サービスの計画経路を登録する（状態Ｓ２０４）。この状態Ｓ２０４において、オペレータは、監視装置２０に対して、データベース２００の更新を指示する操作を行う。
【００９２】
これを受けて、監視装置２０は、データベース２００の回線サービス情報（回線サービス経路情報）及びリンク情報の更新を連携して同時に行う。具体的には、監視装置２０は、回線サービス情報（回線サービス経路情報）上で、計画リンク１０Ａ−１０Ｃ及び計画リンク１０Ｂ−１０Ｃを使用する計画経路を運用経路に変更することと、運用リンク１０Ａ−１０Ｂを使用する運用経路を削除することと、を同時に行う。また、監視装置２０は、リンク情報上で、計画リンク１０Ａ−１０Ｃ及び計画リンク１０Ｂ−１０Ｃを運用リンクに変更することと、運用リンク１０Ａ−１０Ｂを削除することと、を同時に行う（状態Ｓ２０５）。
【００９３】
従って、本実施の形態に係る監視装置２０においては、通信装置１０Ｃの増設に起因するトポロジの変更に伴って、データベース２００を更新する場合、オペレータは、計画リンク及び計画経路を登録し、最後に、データベース２００の更新を指示するという簡易な操作を行えば良い。また、操作回数も、状態Ｓ２０１〜Ｓ２０４での計４回の操作を行えば良い。そのため、本実施の形態は、関連技術と比較して、オペレータによるデータベース２００の更新のための操作が簡易化され、オペレータの操作が複雑になることを回避することができる。
【００９４】
また、本実施の形態に係る監視装置２０においては、データベース２００の更新時に、計画経路を運用経路に変更し、回線サービスの新たな経路を設定することができる。そのため、回線サービスを停止する停止時間を、状態Ｓ２０４〜Ｓ２０５までの間の最小限に抑制することができる。そのため、本実施の形態は、関連技術と比較して、回線サービスの停止時間の短縮化を図ることができる。
【００９５】
＜関連技術における通信装置１０の撤去時の動作＞
続いて、図８を参照して、関連技術に係る監視装置９０における通信装置１０の撤去時の動作について説明する。
【００９６】
図８に示されるように、状態Ｓ３０１では、通信装置１０Ａ，１０Ｃ間がリンク１０Ａ−１０Ｃで接続され、通信装置１０Ｂ，１０Ｃ間がリンク１０Ｂ−１０Ｃで接続され、これらリンク１０Ａ−１０Ｃ及びリンク１０Ｂ−１０Ｃを使用する経路が回線サービスの経路に設定されている。この状態Ｓ３０１において、オペレータは、監視装置９０に対して、リンク１０Ａ−１０Ｃ及びリンク１０Ｂ−１０Ｃを使用する回線サービスの経路を削除する操作を行う。
【００９７】
これを受けて、監視装置９０は、データベース９００の回線サービス経路情報から、リンク１０Ａ−１０Ｃ及びリンク１０Ｂ−１０Ｃを使用する回線サービスの経路を削除する（状態Ｓ３０２）。この状態Ｓ３０２において、オペレータは、監視装置９０に対して、リンク１０Ａ−１０Ｃ及びリンク１０Ｂ−１０Ｃを削除する操作を行う。
【００９８】
これを受けて、監視装置９０は、データベース９００のリンク情報から、リンク１０Ａ−１０Ｃ及びリンク１０Ｂ−１０Ｃを削除する（状態Ｓ３０３）。この状態Ｓ３０３において、オペレータは、監視装置９０に対して、通信装置１０Ａ，１０Ｂ間のリンク１０Ａ−１０Ｂを追加する操作を行う。
【００９９】
これを受けて、監視装置９０は、データベース９００のリンク情報に、リンク１０Ａ−１０Ｂを追加する（状態Ｓ３０４）。この状態Ｓ３０４において、オペレータは、監視装置９０に対して、リンク１０Ａ−１０Ｂを使用する回線サービスの経路を再設定する操作を行う。
【０１００】
これを受けて、監視装置９０は、データベース９００の回線サービス経路情報に、リンク１０Ａ−１０Ｂを使用する回線サービスの経路を再設定する（状態Ｓ３０５）。この状態Ｓ３０５において、オペレータは、監視装置９０に対して、通信装置１０Ｃを削除する操作を行う。
【０１０１】
これを受けて、監視装置９０は、データベース９００の装置情報から、通信装置１０Ｃを削除する（状態Ｓ３０６）。
【０１０２】
従って、関連技術に係る監視装置９０においては、通信装置１０Ｃの撤去に起因するトポロジの変更に伴って、データベース９００を更新する場合、オペレータは、回線サービスの経路の削除と再設定をすると共にリンクの削除と登録をするという複雑な操作が必要となる。また、操作回数も、状態Ｓ３０１〜Ｓ３０５での計５回の操作が必要になる。
【０１０３】
また、関連技術に係る監視装置９０においては、最初に、古いトポロジを使用する回線サービスの経路を削除する必要があるため、回線サービスの経路を再設定するまでの状態Ｓ３０１〜Ｓ３０５までの間は、回線サービスを停止する必要があり、回線サービスの停止時間が長くなる。
【０１０４】
＜本実施の形態における通信装置１０の撤去時の動作＞
続いて、図９を参照して、本実施の形態に係る監視装置２０における通信装置１０の撤去時の動作について説明する。
【０１０５】
図９に示されるように、状態Ｓ４０１では、通信装置１０Ａ，１０Ｃ間が運用リンク１０Ａ−１０Ｃで接続され、通信装置１０Ｂ，１０Ｃ間が運用リンク１０Ｂ−１０Ｃで接続され、これら運用リンク１０Ａ−１０Ｃ及び運用リンク１０Ｂ−１０Ｃを使用する経路が回線サービスの運用経路に設定されている。この状態Ｓ４０１において、オペレータは、監視装置２０に対して、通信装置１０Ａ，１０Ｂ間の計画リンク１０Ａ−１０Ｂを登録する操作を行う。
【０１０６】
これを受けて、監視装置２０は、データベース２００のリンク情報に、計画リンク１０Ａ−１０Ｂを登録する（状態Ｓ４０２）。この状態Ｓ４０２において、オペレータは、監視装置２０に対して、計画リンク１０Ａ−１０Ｂを使用する回線サービスの計画経路を登録する操作を行う。
【０１０７】
これを受けて、監視装置２０は、データベース２００の回線サービス情報（回線サービス経路情報）に、計画リンク１０Ａ−１０Ｂを使用する回線サービスの計画経路を登録する（状態Ｓ４０３）。この状態Ｓ４０３において、オペレータは、監視装置２０に対して、データベース２００の更新を指示する操作を行う。
【０１０８】
これを受けて、監視装置２０は、データベース２００の回線サービス情報（回線サービス経路情報）及びリンク情報の更新を連携して同時に行う。具体的には、監視装置２０は、回線サービス情報（回線サービス経路情報）上で、計画リンク１０Ａ−１０Ｂを使用する計画経路を運用経路に変更することと、運用リンク１０Ａ−１０Ｃ及び運用リンク１０Ｂ−１０Ｃを使用する運用経路を削除することと、を同時に行う。また、監視装置２０は、リンク情報上で、計画リンク１０Ａ−１０Ｂを運用リンクに変更することと、運用リンク１０Ａ−１０Ｃ及び運用リンク１０Ｂ−１０Ｃを削除することと、を同時に行う（状態Ｓ４０４）。この状態Ｓ４０４において、オペレータは、監視装置２０に対して、通信装置１０Ｃを削除する操作を行う。
【０１０９】
これを受けて、監視装置２０は、データベース２００の装置情報から、通信装置１０Ｃを削除する（状態Ｓ４０５）。
【０１１０】
従って、本実施の形態に係る監視装置２０においては、通信装置１０Ｃの撤去に起因するトポロジの変更に伴って、データベース２００を更新する場合、オペレータは、計画リンク及び計画経路を登録し、最後に、データベース２００の更新を指示するという簡易な操作を行えば良い。また、操作回数も、状態Ｓ４０１〜Ｓ４０４での計４回の操作を行えば良い。そのため、本実施の形態は、関連技術と比較して、オペレータによるデータベース２００の更新のための操作が簡易化され、オペレータの操作が複雑になることを回避することができる。
【０１１１】
また、本実施の形態に係る監視装置２０においては、データベース２００の更新時に、計画経路を運用経路に変更し、回線サービスの新たな経路を設定することができる。そのため、回線サービスを停止する停止時間を、状態Ｓ４０３〜Ｓ４０４までの間の最小限に抑制することができる。そのため、本実施の形態は、関連技術と比較して、回線サービスの停止時間の短縮化を図ることができる。
【０１１２】
＜関連技術における通信装置１０の移設時の動作＞
続いて、図１０Ａ〜図１０Ｃを参照して、関連技術に係る監視装置９０における通信装置１０の移設時の動作について説明する。なお、図１０Ａ〜図１０Ｃにおいては、図１０Ａの状態Ｓ５０４の次の状態が図１０Ｂの状態Ｓ５０５となり、図１０Ｂの状態Ｓ５０７の次の状態が図１０Ｃの状態Ｓ５０８となる。また、ここでは、通信装置１０Ｅを移設するものとして説明する。
【０１１３】
図１０Ａ〜図１０Ｃに示されるように、状態Ｓ５０１では、通信装置１０Ａ，１０Ｂ間がリンク１０Ａ−１０Ｂで接続され、通信装置１０Ａ，１０Ｃ間がリンク１０Ａ−１０Ｃで接続され、通信装置１０Ｃ，１０Ｇ間がリンク１０Ｃ−１０Ｇで接続され、通信装置１０Ａ，１０Ｄ間がリンク１０Ａ−１０Ｄで接続され、通信装置１０Ｄ，１０Ｅ間がリンク１０Ｄ−１０Ｅで接続され、通信装置１０Ｅ，１０Ｆ間がリンク１０Ｅ−１０Ｆで接続され、通信装置１０Ｅ，１０Ｇ間がリンク１０Ｅ−１０Ｇで接続されている。また、リンク１０Ａ−１０Ｂを使用する経路、リンク１０Ａ−１０Ｃ及びリンク１０Ｃ−１０Ｇを使用する経路、リンク１０Ａ−１０Ｄ、リンク１０Ｄ−１０Ｅ、及びリンク１０Ｅ−１０Ｆを使用する経路、リンク１０Ａ−１０Ｄ、リンク１０Ｄ−１０Ｅ、及びリンク１０Ｅ−１０Ｇを使用する経路が、回線サービスの経路に設定されている。この状態Ｓ５０１において、オペレータは、監視装置９０に対して、リンク１０Ａ−１０Ｄ、リンク１０Ｄ−１０Ｅ、及びリンク１０Ｅ−１０Ｆを使用する経路と、リンク１０Ａ−１０Ｄ、リンク１０Ｄ−１０Ｅ、及びリンク１０Ｅ−１０Ｇを使用する経路と、を削除する操作を行う。
【０１１４】
これを受けて、監視装置９０は、データベース９００の回線サービス経路情報から、リンク１０Ａ−１０Ｄ、リンク１０Ｄ−１０Ｅ、及びリンク１０Ｅ−１０Ｇを使用する経路と、リンク１０Ａ−１０Ｄ、リンク１０Ｄ−１０Ｅ、及びリンク１０Ｅ−１０Ｆを使用する経路と、を削除する（状態Ｓ５０２）。この状態Ｓ５０２において、オペレータは、監視装置９０に対して、リンク１０Ｄ−１０Ｅ、リンク１０Ｅ−１０Ｆ、及びリンク１０Ｅ−１０Ｇを削除する操作を行う。
【０１１５】
これを受けて、監視装置９０は、データベース９００のリンク情報から、リンク１０Ｄ−１０Ｅ、リンク１０Ｅ−１０Ｆ、及びリンク１０Ｅ−１０Ｇを削除する（状態Ｓ５０３）。この状態Ｓ５０３において、オペレータは、監視装置９０に対して、通信装置１０Ｅを移設する操作を行う。
【０１１６】
これを受けて、監視装置９０は、データベース９００の装置情報上で、通信装置１０Ｅを移設する（状態Ｓ５０４）。ここでの移設は、通信装置１０Ｅの表示座標を変更することを意味する。この状態Ｓ５０４において、オペレータは、監視装置９０に対して、通信装置１０Ｄ，１０Ｆ間のリンク１０Ｄ−１０Ｆ及び通信装置１０Ｆ，１０Ｇ間のリンク１０Ｆ−１０Ｇを追加する操作を行う。
【０１１７】
これを受けて、監視装置９０は、データベース９００のリンク情報に、リンク１０Ｄ−１０Ｆ及びリンク１０Ｆ−１０Ｇを追加する（状態Ｓ５０５）。この状態Ｓ５０５において、オペレータは、監視装置９０に対して、リンク１０Ａ−１０Ｄ及びリンク１０Ｄ−１０Ｆを使用する回線サービスの経路と、リンク１０Ａ−１０Ｄ、リンク１０Ｄ−１０Ｆ、及びリンク１０Ｆ−１０Ｇを使用する回線サービスの経路と、を再設定する操作を行う。
【０１１８】
これを受けて、監視装置９０は、データベース９００の回線サービス経路情報に、リンク１０Ａ−１０Ｄ及びリンク１０Ｄ−１０Ｆを使用する回線サービスの経路と、リンク１０Ａ−１０Ｄ、リンク１０Ｄ−１０Ｆ、及びリンク１０Ｆ−１０Ｇを使用する回線サービスの経路と、を再設定する（状態Ｓ５０６）。この状態Ｓ５０６において、オペレータは、監視装置９０に対して、リンク１０Ａ−１０Ｂを使用する回線サービスの経路と、リンク１０Ａ−１０Ｃ及びリンク１０Ｃ−１０Ｇを使用する回線サービスの経路と、を削除する操作を行う。
【０１１９】
これを受けて、監視装置９０は、データベース９００の回線サービス経路情報から、リンク１０Ａ−１０Ｂを使用する回線サービスの経路と、リンク１０Ａ−１０Ｃ及びリンク１０Ｃ−１０Ｇを使用する回線サービスの経路と、を削除する（状態Ｓ５０７）。この状態Ｓ５０７において、オペレータは、監視装置９０に対して、リンク１０Ａ−１０Ｂ及びリンク１０Ａ−１０Ｃを削除する操作を行う。
【０１２０】
これを受けて、監視装置９０は、データベース９００のリンク情報から、リンク１０Ａ−１０Ｂ及びリンク１０Ａ−１０Ｃを削除する（状態Ｓ５０８）。この状態Ｓ５０８において、オペレータは、監視装置９０に対して、リンク１０Ａ−１０Ｅ、リンク１０Ｂ−１０Ｅ、及びリンク１０Ｃ−１０Ｅを追加する操作を行う。
【０１２１】
これを受けて、監視装置９０は、データベース９００のリンク情報に、リンク１０Ａ−１０Ｅ、リンク１０Ｂ−１０Ｅ、及びリンク１０Ｃ−１０Ｅを追加する（状態Ｓ５０９）。この状態Ｓ５０９において、オペレータは、監視装置９０に対して、リンク１０Ａ−１０Ｅ及びリンク１０Ｂ−１０Ｅを使用する回線サービスの経路と、リンク１０Ａ−１０Ｅ、リンク１０Ｃ−１０Ｅ、及びリンク１０Ｃ−１０Ｇを使用する回線サービスの経路と、を再設定する操作を行う。
【０１２２】
これを受けて、監視装置９０は、データベース９００の回線サービス経路情報に、リンク１０Ａ−１０Ｅ及びリンク１０Ｂ−１０Ｅを使用する回線サービスの経路と、リンク１０Ａ−１０Ｅ、リンク１０Ｃ−１０Ｅ、及びリンク１０Ｃ−１０Ｇを使用する回線サービスの経路と、を再設定する。
【０１２３】
従って、関連技術に係る監視装置９０においては、通信装置１０Ｅの移設に起因するトポロジの変更に伴って、データベース９００を更新する場合、オペレータは、回線サービスの経路の削除と再設定を繰り返すと共にリンクの削除と登録を繰り返すという複雑な操作が必要となる。また、操作回数も、状態Ｓ５０１〜Ｓ５０９での計９回の操作が必要になる。
【０１２４】
また、関連技術に係る監視装置９０においては、最初に、古いトポロジを使用する回線サービスの経路を削除する必要があるため、回線サービスの経路を最後に再設定するまでの状態Ｓ５０１〜Ｓ５１０までの間は、回線サービスを停止する必要があり、回線サービスの停止時間が長くなる。
【０１２５】
＜本実施の形態における通信装置１０の移設時の動作＞
続いて、図１１Ａ〜図１１Ｂを参照して、本実施の形態に係る監視装置２０における通信装置１０の移設時の動作について説明する。なお、図１１Ａ〜図１１Ｂにおいては、図１１Ａの状態Ｓ６０４の次の状態が図１１Ｂの状態Ｓ６０５となる。また、ここでは、通信装置１０Ｅを移設するものとして説明する。
【０１２６】
図１１Ａ〜図１１Ｂに示されるように、状態Ｓ６０１では、通信装置１０Ａ，１０Ｂ間が運用リンク１０Ａ−１０Ｂで接続され、通信装置１０Ａ，１０Ｃ間が運用リンク１０Ａ−１０Ｃで接続され、通信装置１０Ｃ，１０Ｇ間が運用リンク１０Ｃ−１０Ｇで接続され、通信装置１０Ａ，１０Ｄ間が運用リンク１０Ａ−１０Ｄで接続され、通信装置１０Ｄ，１０Ｅ間が運用リンク１０Ｄ−１０Ｅで接続され、通信装置１０Ｅ，１０Ｆ間が運用リンク１０Ｅ−１０Ｆで接続され、通信装置１０Ｅ，１０Ｇ間が運用リンク１０Ｅ−１０Ｇで接続されている。また、運用リンク１０Ａ−１０Ｂを使用する経路、運用リンク１０Ａ−１０Ｃ及び運用リンク１０Ｃ−１０Ｇを使用する経路、運用リンク１０Ａ−１０Ｄ、運用リンク１０Ｄ−１０Ｅ、及び運用リンク１０Ｅ−１０Ｆを使用する経路、運用リンク１０Ａ−１０Ｄ、運用リンク１０Ｄ−１０Ｅ、及び運用リンク１０Ｅ−１０Ｇを使用する経路が、回線サービスの運用経路に設定されている。この状態Ｓ６０１において、オペレータは、監視装置２０に対して、通信装置１０Ｄ，１０Ｆ間の計画リンク１０Ｄ−１０Ｆ及び通信装置１０Ｆ，１０Ｇ間の計画リンク１０Ｆ−１０Ｇを登録する操作を行う。
【０１２７】
これを受けて、監視装置２０は、データベース２００のリンク情報に、計画リンク１０Ｄ−１０Ｆ及び計画リンク１０Ｆ−１０Ｇを登録する（状態Ｓ６０２）。この状態Ｓ６０２において、オペレータは、監視装置２０に対して、運用リンク１０Ａ−１０Ｄ及び計画リンク１０Ｄ−１０Ｆを使用する回線サービスの計画経路と、運用リンク１０Ａ−１０Ｄ、計画リンク１０Ｄ−１０Ｆ、及び計画リンク１０Ｆ−１０Ｇを使用する回線サービスの計画経路と、を登録する操作を行う。
【０１２８】
これを受けて、監視装置２０は、データベース２００の回線サービス情報（回線サービス経路情報）に、運用リンク１０Ａ−１０Ｄ及び計画リンク１０Ｄ−１０Ｆを使用する回線サービスの計画経路と、運用リンク１０Ａ−１０Ｄ、計画リンク１０Ｄ−１０Ｆ、及び計画リンク１０Ｆ−１０Ｇを使用する回線サービスの計画経路と、を登録する（状態Ｓ６０３）。この状態Ｓ６０３において、オペレータは、監視装置９０に対して、通信装置１０Ｅを移設する操作を行う。
【０１２９】
これを受けて、監視装置２０は、データベース２００の装置情報上で、通信装置１０Ｅを移設する（状態Ｓ６０４）。ここでの移設は、通信装置１０Ｅの表示座標を変更することを意味する。この状態Ｓ６０４において、オペレータは、監視装置２０に対して、通信装置１０Ａ，１０Ｅ間の計画リンク１０Ａ−１０Ｅ、通信装置１０Ｂ，１０Ｅ間の計画リンク１０Ｂ−１０Ｅ、及び通信装置１０Ｃ，１０Ｅ間の計画リンク１０Ｃ−１０Ｅを登録する操作を行う。
【０１３０】
これを受けて、監視装置２０は、データベース２００のリンク情報に、計画リンク１０Ａ−１０Ｅ、計画リンク１０Ｂ−１０Ｅ、及び計画リンク１０Ｃ−１０Ｅを登録する（状態Ｓ６０５）。この状態Ｓ６０５において、オペレータは、監視装置２０に対して、計画リンク１０Ａ−１０Ｅ及び計画リンク１０Ｂ−１０Ｅを使用する回線サービスの計画経路と、計画リンク１０Ａ−１０Ｅ、計画リンク１０Ｃ−１０Ｅ、及び運用リンク１０Ｃ−１０Ｇを使用する回線サービスの計画経路と、を登録する操作を行う。
【０１３１】
これを受けて、監視装置２０は、データベース２００の回線サービス情報（回線サービス経路情報）に、計画リンク１０Ａ−１０Ｅ及び計画リンク１０Ｂ−１０Ｅを使用する回線サービスの計画経路と、計画リンク１０Ａ−１０Ｅ、計画リンク１０Ｃ−１０Ｅ、及び運用リンク１０Ｃ−１０Ｇを使用する回線サービスの計画経路と、を登録する（状態Ｓ６０６）。この状態Ｓ６０６において、オペレータは、監視装置２０に対して、データベース２００の更新を指示する操作を行う。
【０１３２】
これを受けて、監視装置２０は、データベース２００の回線サービス情報（回線サービス経路情報）及びリンク情報の更新を連携して同時に行う。具体的には、監視装置２０は、回線サービス情報（回線サービス経路情報）上で、計画リンク１０Ａ−１０Ｅ及び計画リンク１０Ｂ−１０Ｅを使用する計画経路と、計画リンク１０Ａ−１０Ｅ、計画リンク１０Ｃ−１０Ｅ、及び運用リンク１０Ｃ−１０Ｇを使用する計画経路と、運用リンク１０Ａ−１０Ｄ及び計画リンク１０Ｄ−１０Ｆを使用する計画経路と、運用リンク１０Ａ−１０Ｄ、計画リンク１０Ｄ−１０Ｆ、及び計画リンク１０Ｆ−１０Ｇを使用する計画経路と、を運用経路に変更することと、運用リンク１０Ａ−１０Ｂを使用する運用経路と、運用リンク１０Ａ−１０Ｃ及び運用リンク１０Ｃ−１０Ｇを使用する運用経路と、運用リンク１０Ａ−１０Ｄ、運用リンク１０Ｄ−１０Ｅ、及び運用リンク１０Ｅ−１０Ｆを使用する運用経路と、運用リンク１０Ａ−１０Ｄ、運用リンク１０Ｄ−１０Ｅ、及び運用リンク１０Ｅ−１０Ｇを使用する運用経路と、を削除することと、を同時に行う。また、監視装置２０は、リンク情報上で、計画リンク１０Ａ−１０Ｅ、計画リンク１０Ｂ−１０Ｅ、計画リンク１０Ｃ−１０Ｅ、計画リンク１０Ｄ−１０Ｆ、及び計画リンク１０Ｆ−１０Ｇを運用リンクに変更することと、運用リンク１０Ａ−１０Ｂ、運用リンク１０Ａ−１０Ｃ、運用リンク１０Ｄ−１０Ｅ、運用リンク１０Ｅ−１０Ｆ、及び運用リンク１０Ｅ−１０Ｇを削除することと、を同時に行う（状態Ｓ６０７）。
【０１３３】
従って、本実施の形態に係る監視装置２０においては、通信装置１０Ｅの移設に起因するトポロジの変更に伴って、データベース２００を更新する場合、オペレータは、計画リンク及び計画経路の登録を繰り返し、最後に、データベース２００の更新を指示するという簡易な操作を行えば良い。また、操作回数も、状態Ｓ６０１〜Ｓ６０６での計６回の操作が必要になるのみである。そのため、本実施の形態は、関連技術と比較して、オペレータによるデータベース２００の更新のための操作が簡易化され、オペレータの操作が複雑になることを回避することができる。
【０１３４】
また、本実施の形態に係る監視装置２０においては、データベース２００の更新時に、計画経路を運用経路に変更し、回線サービスの新たな経路を設定することができる。そのため、回線サービスを停止する停止時間を、状態Ｓ６０６〜Ｓ６０７までの間の最小限に抑制することができる。そのため、本実施の形態は、関連技術と比較して、回線サービスの停止時間の短縮化を図ることができる。
【０１３５】
なお、図１１Ａ〜図１１Ｂにおいては、１台の通信装置１０を移設する場合を例に挙げたが、複数台の通信装置１０の移設に伴い、通信網のトポロジの大掛かりな変更があるケースも考えられる。このようなケースにおいても、本実施の形態に係る監視装置２０においては、オペレータは、必要な回数だけ計画リンク及び計画経路の登録を繰り返し、最後に、データベース２００の更新を指示するという簡易な操作を行えば良い。
【０１３６】
そのため、オペレータは、データベース２００を更新する場合、トポロジを変更する際に本質的に必要な、変更後の計画リンク及び計画経路を監視装置２０に登録する操作に集中することができ、本質的には不要でかつ操作が複雑な、回線サービスの経路の削除と再設定を繰り返す操作や、リンクの削除と登録を繰り返す操作を無くすことができる。
【０１３７】
＜本実施の形態の効果＞
上述のように本実施の形態においては、監視装置２０は、将来的に運用する予定の計画リンク及び計画経路を事前に受け付けておき、データベース２００の更新指示を受け付けると、事前に受け付けた計画リンク及び計画経路に基づいて、データベース２００を更新する。
【０１３８】
具体的には、監視装置２０は、データベース２００上で、該当する運用リンクを使用する回線サービスの運用経路を削除し、その回線サービスの計画経路を運用経路に変更する。さらに、監視装置２０は、データベース２００上で、該当する運用リンクを削除し、その運用リンクとポートを共有している計画リンクを運用リンクに変更する。
【０１３９】
そのため、オペレータは、計画リンク及び計画経路の登録を繰り返し、最後に、データベース２００の更新を指示する操作をするだけで、新しいトポロジに応じたデータベース２００に更新することができる。そのため、回線サービスの経路の削除と再設定を繰り返すと共にリンクの削除と登録を繰り返す操作が必要な関連技術と比較して、オペレータの操作が簡易化される。従って、オペレータの操作が複雑になることなく、データベース２００を更新することができる。
【０１４０】
また、監視装置２０は、データベース２００の更新時に、計画経路を運用経路に変更し、回線サービスの新たな経路を設定することができる。そのため、最初に、データベース２００上で、古いトポロジを使用する回線サービスの経路の削除が必要な関連技術と比較して、回線サービスを停止する停止時間の短縮化を図ることができる。
【０１４１】
以上、実施の形態を参照して本願発明における様々な観点を説明したが、本願発明は上記によって限定されるものではない。本願発明の各観点における構成や詳細には、発明のスコープ内で当業者が理解し得る様々な変更をすることができる。
【符号の説明】
【０１４２】
１  通信システム
１０Ａ〜１０Ｇ  通信装置
１０１  制御部
１０２  記憶部
１０３  通信部
２０  監視装置
２０１  制御部
２０２  記憶部
２０３  通信部
２０４  入力部
【図１】
2019029920.tif 000007
【図２】
2019029920.tif 000008
【図３】
2019029920.tif 000009
【図４】
2019029920.tif 000010
【図５】
2019029920.tif 000011
【図６】
2019029920.tif 000012
【図７】
2019029920.tif 000013
【図８】
2019029920.tif 000014
【図９】
2019029920.tif 000015
【図１０Ａ】
2019029920.tif 000016
【図１０Ｂ】
2019029920.tif 000017
【図１０Ｃ】
2019029920.tif 000018
【図１１Ａ】
2019029920.tif 000019
【図１１Ｂ】
2019029920.tif 000020